(57)【要約】  【課題】  衛生面を従来より向上することができる鳥かごを提供する。  【解決手段】  鳥かご１０は、Ｌ字状の脚部２１と、脚部２１によって支持されて鳥の飼育空間１０ａの底面を形成する全体が傾斜した床部２２と、飼育空間１０ａの前後左右の面を形成する壁部のうち鳥かご１０の背面側の壁部を形成する背面壁部２３と、飼育空間１０ａの上面を形成する天井部２４と、飼育空間１０ａで発生したゴミを受けるゴミ受け部５１とを備え、床部２２は、全体が傾斜しており、ゴミ受け部５１は、床部２２の傾斜を伝わって落ちるゴミを受ける位置に配置されていて、脚部２１及び床部２２は、金属の平板を折り曲げて形成されていることを特徴とする。【選択図】  図１
2008263899.tif 000002
【特許請求の範囲】
【請求項１】
鳥の飼育空間の底面を形成する床部と、前記飼育空間で発生したゴミを受けるゴミ受け部とを備え、
前記床部は、全体が傾斜しており、
前記ゴミ受け部は、前記床部の傾斜を伝わって落ちる前記ゴミを受ける位置に配置されていることを特徴とする鳥かご。
【請求項２】
前記床部を支持する脚部を有し、
前記床部及び前記脚部は、金属の平板を折り曲げて形成されていることを特徴とする請求項１に記載の鳥かご。
【請求項３】
前記ゴミ受け部は、前記鳥かごの正面側に配置されて上面が露出していることを特徴とする請求項１又は請求項２に記載の鳥かご。
【請求項４】
前記ゴミ受け部は、前記床部に対して固定されており、水抜き用の穴が下部に開けられていることを特徴とする請求項１から請求項３までの何れかに記載の鳥かご。
【請求項５】
前記飼育空間の前後左右の面を形成する壁部を備え、
前記壁部は、前記床部の傾斜方向の下側において前記床部と接触していないことを特徴とする請求項１から請求項４までの何れかに記載の鳥かご。
【発明の詳細な説明】
【技術分野】
【０００１】
本発明は、鳥を飼育するための鳥かごに関するものである。
【背景技術】
【０００２】
従来の鳥かごは、鳥の糞が床部全体に溜まるようになっており、床部が引き出し式になっている。したがって、使用者は、ある程度の量の糞が鳥かごの床部に溜まったときに、鳥かごの床部を引き出して、床部に溜まった鳥の糞を洗い流すことができる（例えば、特許文献１参照。）。
【特許文献１】特開２００７−０００１３３号公報
【発明の開示】
【発明が解決しようとする課題】
【０００３】
従来の鳥かごにおいては、鳥の糞が床部全体に溜まるので、不衛生であるという問題がある。
【０００４】
そこで、本発明は、衛生面を従来より向上することができる鳥かごを提供することを目的とする。
【課題を解決するための手段】
【０００５】
本発明の鳥かごは、鳥の飼育空間の底面を形成する床部と、前記飼育空間で発生したゴミを受けるゴミ受け部とを備え、前記床部は、全体が傾斜しており、前記ゴミ受け部は、前記床部の傾斜を伝わって落ちる前記ゴミを受ける位置に配置されていることを特徴とする。
【０００６】
この構成により、本発明の鳥かごは、鳥の糞などのゴミを床部に溜めずにゴミ受け部に集中的に溜めるので、衛生面を従来より向上することができる。
【０００７】
本発明の鳥かごは、前記床部を支持する脚部を有し、前記床部及び前記脚部は、金属の平板を折り曲げて形成されていることを特徴とする。
【０００８】
この構成により、本発明の鳥かごは、床部及び脚部が別々の部品で形成されている場合と比較して、製造コストを抑えることができる。
【０００９】
本発明の鳥かごの前記ゴミ受け部は、前記鳥かごの正面側に配置されて上面が露出していることを特徴とする。
【００１０】
この構成により、本発明の鳥かごは、使用者によってゴミが視認され易く、しかも掃除され易い状態でゴミ受け部が設置されているので、ゴミ受け部の掃除に対する欲求を使用者に起こさせることができる。したがって、本発明の鳥かごは、使用者によって頻繁に掃除され易く、衛生面をより向上することができる。
【００１１】
本発明の鳥かごの前記ゴミ受け部は、前記床部に対して固定されており、水抜き用の穴が下部に開けられていることを特徴とする。
【００１２】
この構成により、本発明の鳥かごは、床部に水を流すことによって、水が床部の傾斜を流れてゴミ受け部に入り、ゴミ受け部の水抜き用の穴から排出されるので、床部及びゴミ受け部を一度に丸ごと洗い流すことができ、衛生面をより向上することができる。
【００１３】
本発明の鳥かごは、前記飼育空間の前後左右の面を形成する壁部を備え、前記壁部は、前記床部の傾斜方向の下側において前記床部と接触していないことを特徴とする。
【００１４】
この構成により、本発明の鳥かごは、床部の傾斜を伝わって落ちるゴミが壁部に引っ掛かってゴミ受け部に入らないということを防止することができるので、衛生面をより向上することができる。
【発明の効果】
【００１５】
本発明によれば、衛生面を従来より向上することができる鳥かごを提供することができる。
【発明を実施するための最良の形態】
【００１６】
以下、本発明の実施の形態について、図面を用いて説明する。
【００１７】
（第１の実施の形態）
まず、本発明の第１の実施の形態に係る鳥かごの構成について説明する。
【００１８】
図１は、本実施の形態に係る鳥かご１０の正面左側からの外観斜視図である。図２は、鳥かご１０の底面図である。図３は、鳥かご１０の側面断面図である。
【００１９】
図１〜図３に示すように、鳥かご１０は、Ｌ字状の脚部２１と、脚部２１によって支持されて鳥の飼育空間１０ａの底面を形成する全体が傾斜した床部２２と、飼育空間１０ａの前後左右の面を形成する壁部のうち鳥かご１０の背面側の壁部を形成する背面壁部２３と、飼育空間１０ａの上面を形成する天井部２４と、鳥かご１０の左側面の一部に配置された扉３０と、鳥かご１０の左側面側、正面側及び右側面側の壁部を形成するワイヤ４０と、飼育空間１０ａで発生して床部２２の傾斜を伝わって落ちるゴミを受ける位置に配置されたゴミ受け部５１と、脚部２１、床部２２及び天井部２４の位置関係を保持するための円筒形の木製の支柱６０と、脚部２１の底面の四隅にのり付けされた滑り止め用の薄型の透明なゴムパッド７０とを有している。
【００２０】
なお、鳥かご１０は、主に、文鳥や十姉妹などの三角嘴のフィンチ類を飼育するためのものである。また、飼育空間１０ａで発生するゴミとしては、例えば、鳥の糞や羽根、籾殻などがある。
【００２１】
図４は、脚部２１、床部２２、背面壁部２３及び天井部２４の基になる金属の平板２０の平面図である。図４に示すように、脚部２１、床部２２、背面壁部２３及び天井部２４は、アルミニウムなどの金属の平板２０を折り曲げて形成されている。
【００２２】
図１〜図３に示すように、脚部２１は、ゴミ受け部５１を固定するネジ８１のネジ部を通すための２つのネジ用孔２１ａ（図４参照。）と、支柱６０を固定するネジ８２のネジ部を通すためのネジ用孔２１ｂとが形成されている。床部２２は、ワイヤ４０を通すためのワイヤ用孔２２ａが左側面側、正面側及び右側面側の端の近傍に多数並んで形成されているとともに、支柱６０を通すための穴２２ｂが形成されている。床部２２の傾斜は、自然にゴミが落ちるように３０°〜４０°が好ましい。天井部２４は、ワイヤ４０を通すためのワイヤ用孔２４ａが左側面側、正面側及び右側面側の端の近傍に多数並んで形成されているとともに、使用者によって鳥かご１０が持ち上げられるときに使用者の指が挿入されるための４つの持ち手穴２４ｂと、支柱６０を固定するネジ８２のネジ部を通すためのネジ用孔２４ｃとが形成されている。
【００２３】
扉３０は、枠３１と、枠３１の内部に上下に配置された複数の板３２と、複数の板３２を連結する紐３３とを有している。上面側及び底面側の枠３１には、ワイヤ４０を通すためのワイヤ用孔３１ａが多数並んで形成されている。
【００２４】
ワイヤ４０は、鉢を吊るすためなどに使用される園芸用のワイヤであると良い。ワイヤ４０は、ワイヤ用孔を通された後、折り返されて、隣のワイヤ用孔を通されるというように、床部２２のワイヤ用孔２２ａと、天井部２４のワイヤ用孔２４ａと、扉３０のワイヤ用孔３１ａとに通されて、鳥かご１０の左側面側、正面側及び右側面側の壁部を形成している。なお、ワイヤ４０は、端部が金具４１によって固定されている。
【００２５】
図５は、ゴミ受け部５１の基になる金属の平板５０の平面図である。図５に示すように、ゴミ受け部５１は、アルミニウムなどの金属の平板５０を折り曲げて形成されている。
【００２６】
図１〜図３に示すように、ゴミ受け部５１は、のりしろ部分５１ａに形成されたネジ用孔５１ｂ（図５参照。）を通されたネジ８１によって脚部２１に固定されており、鳥かご１０の正面側に配置されて上面が露出している。また、ゴミ受け部５１は、のりしろ部分５１ａの板厚だけ、脚部２１との間にスリット５１ｃが設けられている。スリット５１ｃは、ゴミ受け部５１の下部に開けられた水抜き用の穴を構成している。
【００２７】
支柱６０は、床部２２の穴２２ｂに通されて、上下の端部でネジ８２によって脚部２１及び天井部２４に固定されている。
【００２８】
次に、鳥かご１０の製造方法について説明する。
【００２９】
まず、平板２０及び平板５０は、プレス機によって打ち抜かれ、外形や穴などが形成される。
【００３０】
次いで、外形や穴などが形成された平板２０は、板金工によって立体的に折り曲げられて、脚部２１、床部２２、背面壁部２３及び天井部２４として形成される。同様に、平板５０は、ゴミ受け部５１として形成される。
【００３１】
次いで、脚部２１、床部２２、背面壁部２３、天井部２４、ゴミ受け部５１及び支柱６０は、互いに組みつけられてネジ８１及びネジ８２によって固定される。また、脚部２１の底面の四隅には、ゴムパッド７０がのり付けされる。
【００３２】
最後に、床部２２、天井部２４及び扉３０の間が、ワイヤ４０によって編みあげられる。
【００３３】
次に、鳥かご１０の使用方法について説明する。
【００３４】
使用者は、吸水紙をゴミ受け部５１に充填して、吸水紙によってスリット５１ｃを塞いでおく。
【００３５】
飼育空間１０ａ内の鳥が糞をすると、糞は、床部２２の傾斜を伝わって落ちて、ゴミ受け部５１に溜まる。糞以外のゴミについても同様に、床部２２の傾斜を伝わって落ちて、ゴミ受け部５１に溜まる。
【００３６】
使用者は、ゴミ受け部５１を掃除機で掃除したり、ゴミ受け部５１に充填した吸水紙を交換したりすることによって、ゴミ受け部５１に溜まった糞などのゴミを簡単に清掃することができる。
【００３７】
また、使用者は、ゴミ受け部５１に充填した吸水紙を取り除いた状態で、バスルームのシャワーなどによって床部２２に水を流すことによって、床部２２及びゴミ受け部５１を一度に丸ごと洗い流すことができる。床部２２の傾斜を流れた水は、ゴミ受け部５１に入り、ゴミ受け部５１の水抜き用のスリット５１ｃから排出される。
【００３８】
以上に説明したように、鳥かご１０は、鳥の糞などのゴミを床部２２に溜めずにゴミ受け部５１に集中的に溜めるので、衛生面を従来より向上することができる。
【００３９】
また、鳥かご１０は、ゴミ受け部５１が鳥かご１０の正面側に配置されて上面が露出しており、使用者によってゴミが視認され易く、しかも掃除され易い状態でゴミ受け部５１が設置されている。したがって、鳥かご１０は、ゴミ受け部５１の掃除に対する欲求を使用者に起こさせることができるので、使用者によって頻繁に掃除され易く、衛生面をより向上することができる。
【００４０】
また、鳥かご１０は、床部２２に水を流すことによって、水が床部２２の傾斜を流れてゴミ受け部５１に入り、ゴミ受け部５１の水抜き用のスリット５１ｃから排出されるので、床部２２及びゴミ受け部５１を一度に丸ごと洗い流すことができ、衛生面をより向上することができる。
【００４１】
また、鳥かご１０は、脚部２１及び床部２２が金属の平板２０を折り曲げて形成されているので、脚部２１及び床部２２が別々の部品で形成されている場合と比較して、製造コストを抑えることができる。
【００４２】
（第２の実施の形態）
本発明の第２の実施の形態に係る鳥かごの構成のうち、第１の実施の形態に係る鳥かご１０（図１参照。）の構成と同様な構成については、鳥かご１０の構成と同一の符号を付して詳細な説明を省略する。
【００４３】
図６は、本実施の形態に係る鳥かご１１０の正面左側からの外観斜視図である。
【００４４】
図６に示すように、鳥かご１１０の構成は、脚部２１によって支持されて鳥の飼育空間１０ａの底面を形成する全体が傾斜した床部１２１と、飼育空間１０ａで発生して床部１２１の傾斜を伝わって落ちるゴミを受ける位置に配置されたゴミ受け部１５１とを床部２２（図１参照。）及びゴミ受け部５１（図１参照。）に代えて鳥かご１０が備え、左側面側の壁部の一部を形成する左側面部１２２と、右側面側の壁部の一部を形成する右側面部１２３と、正面の壁部の一部を形成して左側面部１２２及び右側面部１２３を連結した連結部１２４とを鳥かご１０が備えた構成と同様である。
【００４５】
図７は、脚部２１、背面壁部２３、天井部２４、床部１２１、左側面部１２２及び右側面部１２３の基になる金属の平板１２０の平面図である。図７に示すように、脚部２１、背面壁部２３、天井部２４、床部１２１、左側面部１２２及び右側面部１２３は、アルミニウムなどの金属の平板１２０を折り曲げて形成されている。
【００４６】
図６に示すように、床部１２１の構成は、ワイヤ用孔２２ａ（図１参照。）を床部２２（図１参照。）が備えていない構成と同様である。左側面部１２２は、ワイヤ４０を通すためのワイヤ用孔１２２ａが天井部２４側の端の近傍に多数並んで形成されている。右側面部１２３は、ワイヤ４０を通すためのワイヤ用孔１２３ａが天井部２４側の端の近傍に多数並んで形成されている。連結部１２４は、ワイヤ４０を通すためのワイヤ用孔１２４ａが天井部２４側の端の近傍に多数並んで形成されているとともに、左側面部１２２及び右側面部１２３にネジなどによって固定されている。
【００４７】
図８は、ゴム栓１５２（図６参照。）が外された状態での鳥かご１１０の底面図である。ゴミ受け部１５１の構成は、ゴミ受け部５１（図２参照。）が脚部２１との間のスリット５１ｃ（図２参照。）に代えて水抜き用の穴１５１ａが下部に開けられている構成と同様である。脚部２１と、ゴミ受け部１５１との間は、水が漏れださないように隙間無く形成されている。ゴミ受け部１５１は、水洗いされるとき以外のときに水抜き用の穴１５１ａから水やゴミが漏れ出さないように、水抜き用の穴１５１ａをゴム栓１５２によって塞がれることができる。
【００４８】
鳥かご１１０は、第１の実施の形態に係る鳥かご１０によって得ることができる効果に加え、次の効果を得ることができる。即ち、鳥かご１１０は、床部１２１の傾斜方向の下側の壁部、即ち、連結部１２４及び正面側のワイヤ４０が床部１２１と接触していないので、床部１２１の傾斜を伝わって落ちるゴミが連結部１２４及び正面側のワイヤ４０に引っ掛かってゴミ受け部１５１に入らないということを防止することができる。したがって、鳥かご１１０は、衛生面をより向上することができる。
【００４９】
（第３の実施の形態）
本発明の第３の実施の形態に係る鳥かごの構成のうち、第１の実施の形態に係る鳥かご１０（図１参照。）の構成と同様な構成については、鳥かご１０の構成と同一の符号を付して詳細な説明を省略する。
【００５０】
図９は、本実施の形態に係る鳥かご２１０の正面左側からの外観斜視図である。図１０は、鳥かご２１０の背面右側からの外観斜視図である。
【００５１】
図９及び図１０に示すように、鳥かご２１０の構成は、Ｌ字状の脚部２２１と、脚部２１によって支持されて鳥の飼育空間１０ａの底面を形成する全体が傾斜した床部２２２と、飼育空間１０ａの前後左右の面を形成する壁部のうち鳥かご２１０の背面側の壁部を形成する背面壁部２２３と、飼育空間１０ａの上面を形成する天井部２２４と、飼育空間１０ａで発生して床部２２２の傾斜を伝わって落ちるゴミを受ける位置に配置されたゴミ受け部２５０と、脚部２２１、床部２２２及び天井部２２４の位置関係を保持するための支柱２６０とを、脚部２１（図１参照。）、床部２２（図１参照。）、背面壁部２３（図１参照。）、天井部２４（図１参照。）、ゴミ受け部５１（図１参照。）及び支柱６０（図１参照。）に代えて鳥かご１０（図１参照。）が備えた構成と同様である。
【００５２】
図１１は、脚部２２１、床部２２２、背面壁部２２３及び天井部２２４の基になる金属の平板２２０の平面図である。図１１に示すように、脚部２２１、床部２２２、背面壁部２２３及び天井部２２４は、アルミニウムなどの金属の平板２２０を折り曲げて形成されている。
【００５３】
脚部２２１の構成は、支柱２６０を固定するネジ２８１のネジ部を通すためのネジ用孔２２１ａをネジ用孔２１ａ（図４参照。）及びネジ用孔２１ｂ（図４参照。）に代えて脚部２１（図４参照。）が備えた構成と同様である。床部２２２の構成は、穴２２ｂ（図４参照。）を床部２２（図４参照。）が備えておらず、床部２２２の傾斜方向の下側の端の近傍に多数並んで形成された穴２２２ａを床部２２が備えた構成と同様である。背面壁部２２３の構成は、支柱２６０を固定するネジ２８２のネジ部を通すためのネジ用孔２２３ａを背面壁部２３（図４参照。）が備えた構成と同様である。天井部２２３の構成は、持ち手穴２４ｂ（図４参照。）及びネジ用孔２４ｃ（図４参照。）を天井部２４（図４参照。）が備えていない構成と同様である。
【００５４】
図１２は、ゴミ受け部２５０の分解斜視図である。図１２に示すように、ゴミ受け部２５０は、金属の平板を折り曲げて形成された本体２５１と、金属の平板を折り曲げて形成されて本体２５１の両側に設置された側面部材２５２と、本体２５１に側面部材２５２を固定する複数のネジ２５３とを備えている。ゴミ受け部２５０は、脚部２２１の上に置かれているだけで、床部２２２に対して固定されていない。
【００５５】
図１０に示すように、支柱２６０は、金属の平板を折り曲げて形成された本体２６１と、金属の平板を折り曲げて形成されて本体２６１を脚部２２１に固定するための固定部材２６２と、金属の平板を折り曲げて形成されて持ち手穴２６３ａが形成された取っ手部２６３と、脚部２２１及び固定部材２６２を固定するネジ２８１と、本体２６１及び背面壁部２２３を固定するネジ２８２と、本体２６１及び固定部材２６２を固定するネジ２８３と、本体２６１及び取っ手部２６３を固定するネジ２８４とを備えている。
【００５６】
次に、鳥かご２１０の使用方法について説明する。
【００５７】
使用者は、吸水紙をゴミ受け部２５０に充填しておく。
【００５８】
飼育空間１０ａ内の鳥が糞をすると、糞は、床部２２２の傾斜を伝わって落ちて、床部２２２の穴２２２ａを介してゴミ受け部２５０に溜まる。糞以外のゴミについても同様に、床部２２２の傾斜を伝わって落ちて、床部２２２の穴２２２ａを介してゴミ受け部２５０に溜まる。
【００５９】
使用者は、ゴミ受け部２５０を掃除機で掃除したり、ゴミ受け部２５０に充填した吸水紙を交換したりすることによって、ゴミ受け部２５０に溜まった糞などのゴミを簡単に清掃することができる。
【００６０】
以上に説明したように、鳥かご２１０は、鳥の糞などのゴミを床部２２２に溜めずにゴミ受け部２５０に集中的に溜めるので、衛生面を従来より向上することができる。
【００６１】
また、鳥かご２１０は、脚部２２１及び床部２２２が金属の平板２２０を折り曲げて形成されているので、脚部２２１及び床部２２２が別々の部品で形成されている場合と比較して、製造コストを抑えることができる。
【図面の簡単な説明】
【００６２】
【図１】本発明の第１の実施の形態に係る鳥かごの正面左側からの外観斜視図である。
【図２】図１に示す鳥かごの底面図である。
【図３】図１に示す鳥かごの側面断面図である。
【図４】図１に示す鳥かごの脚部、床部、背面壁部及び天井部の基になる金属の平板の平面図である。
【図５】図１に示す鳥かごのゴミ受け部の基になる金属の平板の平面図である。
【図６】本発明の第２の実施の形態に係る鳥かごの正面左側からの外観斜視図である。
【図７】図６に示す鳥かごの脚部、背面壁部、天井部、床部、左側面部及び右側面部の基になる金属の平板の平面図である。
【図８】図６に示す鳥かごの底面図であって、ゴム栓が外された状態での図である。
【図９】第３の形態に係る鳥かごの正面左側からの外観斜視図である。
【図１０】図９に示す鳥かごの背面右側からの外観斜視図である。
【図１１】図９に示す鳥かごの脚部、背面壁部、床部及び天井部の基になる金属の平板の平面図である。
【図１２】図９に示す鳥かごのゴミ受け部の分解斜視図である。
【符号の説明】
【００６３】
１０  鳥かご
１０ａ  飼育空間
２０  平板
２１  脚部
２２  床部
２３  背面壁部（壁部）
４０  ワイヤ（壁部）
５１  ゴミ受け部
５１ｃ  スリット（水抜き用の穴）
１１０  鳥かご
１２０  平板
１２１  床部
１２２  左側面部（壁部）
１２３  右側面部（壁部）
１２４  連結部（壁部）
１５１  ゴミ受け部
１５１ａ  穴（水抜き用の穴）
２１０  鳥かご
２２０  平板
２２２  床部
２５０  ゴミ受け部
【図１】
2008263899.tif 000003
【図２】
2008263899.tif 000004
【図３】
2008263899.tif 000005
【図４】
2008263899.tif 000006
【図５】
2008263899.tif 000007
【図６】
2008263899.tif 000008
【図７】
2008263899.tif 000009
【図８】
2008263899.tif 000010
【図９】
2008263899.tif 000011
【図１０】
2008263899.tif 000012
【図１１】
2008263899.tif 000013
【図１２】
2008263899.tif 000014
【手続補正書】
【提出日】平成19年7月3日(2007.7.3)
【手続補正１】
【補正対象書類名】特許請求の範囲
【補正対象項目名】全文
【補正方法】変更
【補正の内容】
【特許請求の範囲】
【請求項１】
鳥の飼育空間の底面を形成する床部と、前記飼育空間で発生したゴミを受けるゴミ受け部と、前記床部を支持する脚部とを備え、
前記床部は、全体が傾斜しており、
前記ゴミ受け部は、前記床部の傾斜を伝わって落ちる前記ゴミを受ける位置に配置されていて、
前記床部及び前記脚部は、金属の平板を折り曲げて形成されていることを特徴とする鳥かご。
【請求項２】
前記ゴミ受け部は、前記鳥かごの正面側に配置されて上面が露出していることを特徴とする請求項１に記載の鳥かご。
【請求項３】
前記ゴミ受け部は、前記床部に対して固定されており、水抜き用の穴が下部に開けられていることを特徴とする請求項１又は請求項２に記載の鳥かご。
【請求項４】
前記飼育空間の前後左右の面を形成する壁部を備え、
前記壁部は、前記床部の傾斜方向の下側において前記床部と接触していないことを特徴とする請求項１から請求項３までの何れかに記載の鳥かご。
【手続補正２】
【補正対象書類名】明細書
【補正対象項目名】０００５
【補正方法】変更
【補正の内容】
【０００５】
鳥の飼育空間の底面を形成する床部と、前記飼育空間で発生したゴミを受けるゴミ受け部と、前記床部を支持する脚部とを備え、前記床部は、全体が傾斜しており、前記ゴミ受け部は、前記床部の傾斜を伝わって落ちる前記ゴミを受ける位置に配置されていて、前記床部及び前記脚部は、金属の平板を折り曲げて形成されていることを特徴とする。
【手続補正３】
【補正対象書類名】明細書
【補正対象項目名】０００６
【補正方法】変更
【補正の内容】
【０００６】
この構成により、本発明の鳥かごは、鳥の糞などのゴミを床部に溜めずにゴミ受け部に集中的に溜めるので、衛生面を従来より向上することができる。また、本発明の鳥かごは、床部及び脚部が別々の部品で形成されている場合と比較して、製造コストを抑えることができる。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】